【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
所定期間に所定回数に亘り繰り返し送出されるダウンロードデータを放送信号より取得することによって制御プログラムを更新するデジタル放送受信装置であって、
放送信号を受信するチューナと、
前記放送信号に含まれるダウンロード送信スケジュール情報から、ダウンロードデータの各送出が開始される時刻である送出開始時刻及び、一回の送出が完了するのに必要な期間である連続送出期間を取得するダウンロード送信情報取得部と、
前記ダウンロード送信情報取得部で取得した送出開始時刻及び連続送出期間を用いて前記ダウンロードデータを取得する処理を実行する時間を設定すると共に、前記ダウンロードデータを取得する処理と前記チューナを使用して実行される他の処理の実行時間のスケジューリングを行うスケジュール管理部と、
前記スケジュール管理部で決定されたスケジュールに従って、前記ダウンロードデータを取得する処理及び前記チューナを使用して実行される他の処理を実行する制御部と、を具備し、
前記ダウンロード送信情報取得部は、前記放送信号に含まれるダウンロード送信スケジュール情報から、さらに、前記ダウンロードデータがその全送出を終了するまでの期間及び前記ダウンロードデータの単位時間あたりの送出回数を示す送出情報パラメタを取得し、
前記送出情報パラメタの値は、前記ダウンロードデータを取得する処理と前記チューナを使用して実行される他の処理との優先度に対応付けられており、
前記スケジュール管理部は、前記ダウンロードデータを取得する処理と前記チューナを使用して実行される他の処理との実行時間が重複し両処理を同時に実行できない場合に、前記送出情報パラメタの値により定まる優先度に従って、前記ダウンロードデータを取得する処理と前記チューナを使用して実行される他の処理のどちらを優先して実行するかを決定することを特徴とするデジタル放送受信装置。
【請求項２】
前記制御部は、前記ダウンロードデータを取得する処理を開始する時刻になったときに前記チューナを他の処理が使用していた場合には、前記送出情報パラメタの値により定まる優先度に従って、前記チューナを使用している前記他の処理を停止して前記ダウンロードデータを取得する処理を開始するか、前記ダウンロードデータを取得する処理を再スケジュールするかを決定することを特徴とする請求項１に記載のデジタル放送受信装置。
【請求項３】
所定期間に所定回数に亘り繰り返し送出されるダウンロードデータを放送信号より取得することによって制御プログラムを更新するデジタル放送受信装置であって、
放送信号を受信するチューナと、
前記放送信号に含まれるダウンロード送信スケジュール情報から、ダウンロードデータの各送出が開始される時刻である送出開始時刻及び、一回の送出が完了するのに必要な期間である連続送出期間を取得するダウンロード送信情報取得部と、
前記ダウンロード送信情報取得部で取得した送出開始時刻及び連続送出期間を用いて前記ダウンロードデータを取得する処理を実行する時間を設定すると共に、前記ダウンロードデータを取得する処理と前記チューナを使用して実行される他の処理の実行時間のスケジューリングを行うスケジュール管理部と、
前記スケジュール管理部で決定されたスケジュールに従って、前記ダウンロードデータを取得する処理及び前記チューナを使用して実行される他の処理を実行する制御部と、を具備し、
前記ダウンロード送信情報取得部は、前記放送信号に含まれるダウンロード送信スケジュール情報から、さらに、前記ダウンロードデータがその全送出を終了するまでの期間及び前記ダウンロードデータの単位時間あたりの送出回数を示す送出情報パラメタを取得し、
前記送出情報パラメタの値は、前記ダウンロードデータを取得する処理と前記チューナを使用して実行される他の処理との優先度に対応付けられており、
前記制御部は、前記ダウンロードデータを取得する処理を開始する時刻になったときに前記チューナを他の処理が使用していた場合には、前記送出情報パラメタの値により定まる優先度に従って、前記チューナを使用している前記他の処理を停止して前記ダウンロードデータを取得する処理を開始するか、前記ダウンロードデータを取得する処理を再スケジュールするかを決定することを特徴とするデジタル放送受信装置。
【請求項４】
前記ダウンロードデータを取得する処理の実行中にユーザが前記チューナを使用する他の処理を開始する操作を行った場合には、
前記制御部は、前記送出情報パラメタの値により定まる優先度に従って、ユーザの操作を禁止して前記ダウンロードデータを取得する処理を続行するか、前記ダウンロードデータを取得する処理を中断して再スケジュールするかを決定することを特徴とする請求項２または３に記載のデジタル放送受信装置。
【請求項５】
前記優先度は、前記送出情報パラメタの値が示す、前記ダウンロードデータがその全送出を終了するまでの期間がより短い場合または、前記ダウンロードデータの単位時間あたりの送出回数がより少ない場合に、前記ダウンロードデータを取得する処理の優先度がより高くなるように定められていることを特徴とする請求項１〜４のうちいずれか１項に記載のデジタル放送受信装置。
【請求項６】
所定期間に所定回数に亘り繰り返し送出されるダウンロードデータを放送信号より取得することによって制御プログラムを更新するデジタル放送受信装置の制御方法であって、
前記放送信号に含まれるダウンロード送信スケジュール情報から、ダウンロードデータの各送出が開始される時刻である送出開始時刻及び、一回の送出が完了するのに必要な期間である連続送出期間を取得するダウンロード送信情報取得ステップと、
前記ダウンロード送信情報取得ステップで取得した送出開始時刻及び連続送出期間を用いて前記ダウンロードデータを取得する処理を実行する時間を設定すると共に、前記ダウンロードデータを取得する処理とチューナを使用して実行される他の処理の実行時間のスケジューリングを行うスケジュール管理ステップと、
前記スケジュール管理ステップで決定されたスケジュールに従って、前記ダウンロードデータを取得する処理及び前記チューナを使用して実行される他の処理を実行する制御ス
テップと、を有し、
前記ダウンロード送信情報取得ステップでは、前記放送信号に含まれるダウンロード送信スケジュール情報から、さらに、前記ダウンロードデータがその全送出を終了するまでの期間及び前記ダウンロードデータの単位時間あたりの送出回数を示す送出情報パラメタを取得し、
前記送出情報パラメタの値は、前記ダウンロードデータを取得する処理と前記チューナを使用して実行される他の処理との優先度に対応付けられており、
前記スケジュール管理ステップでは、前記ダウンロードデータを取得する処理と前記チューナを使用して実行される他の処理との実行時間が重複し両処理を同時に実行できない場合に、前記送出情報パラメタの値により定まる優先度に従って、前記ダウンロードデータを取得する処理と前記チューナを使用して実行される他の処理のどちらを優先して実行するかを決定することを特徴とするデジタル放送受信装置の制御方法。
【請求項７】
前記制御ステップでは、前記ダウンロードデータを取得する処理を開始する時刻になったときに前記チューナを他の処理が使用していた場合には、前記送出情報パラメタの値により定まる優先度に従って、前記チューナを使用している前記他の処理を停止して前記ダウンロードデータを取得する処理を開始するか、前記ダウンロードデータを取得する処理を再スケジュールするかを決定することを特徴とする請求項６に記載のデジタル放送受信装置の制御方法。
【請求項８】
所定期間に所定回数に亘り繰り返し送出されるダウンロードデータを放送信号より取得することによって制御プログラムを更新するデジタル放送受信装置の制御方法であって、
前記放送信号に含まれるダウンロード送信スケジュール情報から、ダウンロードデータの各送出が開始される時刻である送出開始時刻及び、一回の送出が完了するのに必要な期間である連続送出期間を取得するダウンロード送信情報取得ステップと、
前記ダウンロード送信情報取得ステップで取得した送出開始時刻及び連続送出期間を用いて前記ダウンロードデータを取得する処理を実行する時間を設定すると共に、前記ダウンロードデータを取得する処理とチューナを使用して実行される他の処理の実行時間のスケジューリングを行うスケジュール管理ステップと、
前記スケジュール管理ステップで決定されたスケジュールに従って、前記ダウンロードデータを取得する処理及び前記チューナを使用して実行される他の処理を実行する制御ステップと、を有し、
前記ダウンロード送信情報取得ステップでは、前記放送信号に含まれるダウンロード送信スケジュール情報から、さらに、前記ダウンロードデータがその全送出を終了するまでの期間及び前記ダウンロードデータの単位時間あたりの送出回数を示す送出情報パラメタを取得し、
前記送出情報パラメタの値は、前記ダウンロードデータを取得する処理と前記チューナを使用して実行される他の処理との優先度に対応付けられており、
前記制御ステップでは、前記ダウンロードデータを取得する処理を開始する時刻になったときに前記チューナを他の処理が使用していた場合には、前記送出情報パラメタの値により定まる優先度に従って、前記チューナを使用している前記他の処理を停止して前記ダウンロードデータを取得する処理を開始するか、前記ダウンロードデータを取得する処理を再スケジュールするかを決定することを特徴とするデジタル放送受信装置の制御方法。
【請求項９】
前記ダウンロードデータを取得する処理の実行中にユーザが前記チューナを使用する他の処理を開始する操作を行った場合には、
前記制御ステップでは、前記送出情報パラメタの値により定まる優先度に従って、ユーザの操作を禁止して前記ダウンロードデータを取得する処理を続行するか、前記ダウンロードデータを取得する処理を中断して再スケジュールするかを決定することを特徴とする請求項７または８に記載のデジタル放送受信装置の制御方法。
【請求項１０】
前記優先度は、前記送出期間パラメタの値が示す、前記ダウンロードデータがその全送出を終了するまでの期間がより短い場合または、前記ダウンロードデータの単位時間あたりの送出回数がより少ない場合に、前記ダウンロードデータを取得する処理の優先度がより高くなるように定められていることを特徴とする請求項６〜９のうちいずれか１項に記載のデジタル放送受信装置の制御方法。
【手続補正２】
【補正対象書類名】明細書
【補正対象項目名】００１６
【補正方法】変更
【補正の内容】
【００１６】
本出願は、上記課題を解決するために以下の手段を採用した。すなわち、本発明に係るデジタル放送受信装置は、所定期間に所定回数に亘り繰り返し送出されるダウンロードデータを放送信号より取得することによって制御プログラムを更新するデジタル放送受信装置であって、
放送信号を受信するチューナと、
前記放送信号に含まれるダウンロード送信スケジュール情報から、ダウンロードデータの各送出が開始される時刻である送出開始時刻及び、一回の送出が完了するのに必要な期間である連続送出期間を取得するダウンロード送信情報取得部と、
前記ダウンロード送信情報取得部で取得した送出開始時刻及び連続送出期間を用いて前記ダウンロードデータを取得する処理を実行する時間を設定すると共に、前記ダウンロードデータを取得する処理と前記チューナを使用して実行される他の処理の実行時間のスケジューリングを行うスケジュール管理部と、
前記スケジュール管理部で決定されたスケジュールに従って、前記ダウンロードデータを取得する処理及び前記チューナを使用して実行される他の処理を実行する制御部と、を具備し、
前記ダウンロード送信情報取得部は、前記放送信号に含まれるダウンロード送信スケジュール情報から、さらに、前記ダウンロードデータがその全送出を終了するまでの期間及び前記ダウンロードデータの単位時間あたりの送出回数を示す送出情報パラメタを取得し、
前記送出情報パラメタの値は、前記ダウンロードデータを取得する処理と前記チューナを使用して実行される他の処理との優先度に対応付けられており、
前記スケジュール管理部は、前記ダウンロードデータを取得する処理と前記チューナを使用して実行される他の処理との実行時間が重複し両処理を同時に実行できない場合に、前記送出情報パラメタの値により定まる優先度に従って、前記ダウンロードデータを取得する処理と前記チューナを使用して実行される他の処理のどちらを優先して実行するかを決定することを特徴とする。
また、本発明に係るデジタル放送受信装置の制御方法は、所定期間に所定回数に亘り繰り返し送出されるダウンロードデータを放送信号より取得することによって制御プログラムを更新するデジタル放送受信装置の制御方法であって、
前記放送信号に含まれるダウンロード送信スケジュール情報から、ダウンロードデータの各送出が開始される時刻である送出開始時刻及び、一回の送出が完了するのに必要な期間である連続送出期間を取得するダウンロード送信情報取得ステップと、
前記ダウンロード送信情報取得ステップで取得した送出開始時刻及び連続送出期間を用いて前記ダウンロードデータを取得する処理を実行する時間を設定すると共に、前記ダウンロードデータを取得する処理とチューナを使用して実行される他の処理の実行時間のスケジューリングを行うスケジュール管理ステップと、
前記スケジュール管理ステップで決定されたスケジュールに従って、前記ダウンロードデータを取得する処理及び前記チューナを使用して実行される他の処理を実行する制御ス
テップと、を有し、
前記ダウンロード送信情報取得ステップでは、前記放送信号に含まれるダウンロード送信スケジュール情報から、さらに、前記ダウンロードデータがその全送出を終了するまでの期間及び前記ダウンロードデータの単位時間あたりの送出回数を示す送出情報パラメタを取得し、
前記送出情報パラメタの値は、前記ダウンロードデータを取得する処理と前記チューナを使用して実行される他の処理との優先度に対応付けられており、
前記スケジュール管理ステップでは、前記ダウンロードデータを取得する処理と前記チューナを使用して実行される他の処理との実行時間が重複し両処理を同時に実行できない場合に、前記送出情報パラメタの値により定まる優先度に従って、前記ダウンロードデータを取得する処理と前記チューナを使用して実行される他の処理のどちらを優先して実行するかを決定することを特徴とする。